(57)【要約】【課題】管理者等が、設定されている運転スケジュールについて、想定外の運転スケジュールが設定されていないかを容易に確認することができる施設監視装置を提供する。【解決手段】基準スケジュールの指定を受け付ける基準受付部１１３と、基準スケジュールと比較する１つまたは複数の対象スケジュールの指定を受け付ける対象受付部１１４と、基準スケジュールと対象スケジュールとを比較する際の比較範囲の指定を受け付ける比較範囲受付部１１５と、対象スケジュール毎に、比較範囲における当該対象スケジュールの内容と、比較範囲における基準スケジュールの内容との比較を行う比較部１５２と、比較部１５２による、対象スケジュール毎の基準スケジュールとの比較結果に関する情報を表示させる表示制御部１６とを備えた。【選択図】図２
2019086219.tif 000002
【特許請求の範囲】
【請求項１】
複数の運転スケジュールに基づき施設内の設備機器の制御を行う施設監視装置であって、
前記複数の運転スケジュールのうちから、基準スケジュールの指定を受け付ける基準受付部と、
前記複数の運転スケジュールのうちから、前記基準スケジュールと比較する１つまたは複数の対象スケジュールの指定を受け付ける対象受付部と、
前記基準スケジュールと前記対象スケジュールとを比較する際の比較範囲の指定を受け付ける比較範囲受付部と、
前記対象スケジュール毎に、前記比較範囲における当該対象スケジュールの内容と、前記比較範囲における前記基準スケジュールの内容との比較を行う比較部と、
前記比較部による、前記対象スケジュール毎の前記基準スケジュールとの比較結果に関する情報を表示させる表示制御部
とを備えた施設監視装置。
【請求項２】
前記表示制御部は、
前記対象スケジュールの内容について、前記比較範囲において前記基準スケジュールの内容と差異があるか否かを示す情報を表示させる
ことを特徴とする請求項１記載の施設監視装置。
【請求項３】
前記表示制御部は、
前記比較範囲における、前記基準スケジュールの内容および前記対象スケジュールの内容を一覧表示させる
ことを特徴とする請求項１記載の施設監視装置。
【請求項４】
前記表示制御部は、
前記対象スケジュールのうち、前記比較範囲における当該対象スケジュールの内容と前記比較範囲における前記基準スケジュールの内容とに差異がある対象スケジュールについて、前記基準スケジュールとの比較結果に関する情報を表示させる
ことを特徴とする請求項１から請求項３のうちのいずれか１項記載の施設監視装置。
【請求項５】
複数の運転スケジュールに基づき施設内の設備機器の制御を行う施設監視装置による施設監視方法であって、
基準受付部が、前記複数の運転スケジュールのうちから、基準スケジュールの指定を受け付けるステップと、
対象受付部が、前記複数の運転スケジュールのうちから、前記基準スケジュールと比較する１つまたは複数の対象スケジュールの指定を受け付けるステップと、
比較範囲受付部が、前記基準スケジュールと前記対象スケジュールとを比較する際の比較範囲の指定を受け付けるステップと、
比較部が、前記対象スケジュール毎に、前記比較範囲における当該対象スケジュールの内容と、前記比較範囲における前記基準スケジュールの内容との比較を行うステップと、
表示制御部が、前記比較部による、前記対象スケジュール毎の前記基準スケジュールとの比較結果に関する情報を表示させるステップ
とを備えた施設監視方法。
【発明の詳細な説明】
【技術分野】
【０００１】
この発明は、施設内の設備機器の制御を行う施設監視装置および施設監視方法に関するものである。
【背景技術】
【０００２】
従来、ビル等の施設内の設備機器を監視する監視システムにおいては、設備機器を予め決められた運転スケジュールに従って制御するスケジュール制御を行っている。
例えば、特許文献１には、ピーク時のエネルギー消費量を抑制するため、省エネ設定時間帯には各フロアの空調設置温度を自動的に数℃上げる、あるいは、数℃下げるスケジュール制御を行うビル監視制御装置が開示されている。また、例えば、特許文献２には、設備負荷の変化に対応したスケジュール設定を行うビル管理システムが開示されている。
【先行技術文献】
【特許文献】
【０００３】
【特許文献１】特開２０００−１２１１２６号公報
【特許文献２】特開平０８−２５６３８５号公報
【発明の概要】
【発明が解決しようとする課題】
【０００４】
施設内の設備機器のスケジュール制御を実行するにあたり、管理者等は、設定されている運転スケジュールの中に、想定外の運転スケジュールが設定されていないことの確認作業を実施することがある。
上述のような確認作業を実施するには、管理者等は、表示画面上で、設定されている運転スケジュールを一覧表示して、正しい運転スケジュールとの比較を目視で行い、目視による比較の結果、正しい運転スケジュールとの差があった場合、想定外の運転スケジュールが設定されていると判断するようにしている。そのため、管理者等にとって、想定外の運転スケジュールが設定されていないことの確認作業は煩わしく、管理者等への作業負担が大きいという課題があった。
【０００５】
この発明は、上記のような課題を解決するためになされたもので、管理者等が、設定されている運転スケジュールについて、想定外の運転スケジュールが設定されていないかを容易に確認することができる施設監視装置を提供することを目的としている。
【課題を解決するための手段】
【０００６】
この発明に係る施設監視装置は、複数の運転スケジュールに基づき施設内の設備機器の制御を行う施設監視装置であって、複数の運転スケジュールのうちから、基準スケジュールの指定を受け付ける基準受付部と、複数の運転スケジュールのうちから、基準スケジュールと比較する１つまたは複数の対象スケジュールの指定を受け付ける対象受付部と、基準スケジュールと対象スケジュールとを比較する際の比較範囲の指定を受け付ける比較範囲受付部と、対象スケジュール毎に、比較範囲における当該対象スケジュールの内容と、比較範囲における基準スケジュールの内容との比較を行う比較部と、比較部による、対象スケジュール毎の基準スケジュールとの比較結果に関する情報を表示させる表示制御部とを備えたものである。
【発明の効果】
【０００７】
この発明によれば、管理者等は、設定されている運転スケジュールについて、想定外の運転スケジュールが設定されていないかを容易に確認することができる。
【図面の簡単な説明】
【０００８】
【図１】実施の形態１に係る施設監視装置を備える施設監視システムの構成例を示す図である。
【図２】実施の形態１に係る施設監視装置の構成の一例を示す図である。
【図３】実施の形態１において、運転スケジュール記憶部が記憶する運転スケジュール情報のイメージの一例を示す図である。
【図４】実施の形態１において、施設監視装置が実行する運転スケジュール比較処理の具体的な動作の一例について説明するためのフローチャートである。
【図５】実施の形態１において、表示制御部が表示装置に表示させる比較範囲設定画面のイメージの一例を説明するための図である。
【図６】実施の形態１において、表示制御部が表示装置に表示させる比較結果表示画面のイメージの一例を示す図である。
【図７】実施の形態１において、表示制御部が表示装置に表示させる比較結果表示画面のイメージのその他の一例を示す図である。
【図８】実施の形態１において、表示制御部が、不一致のみ表示指示部を表示させた比較範囲設定画面の一例を示す図である。
【発明を実施するための形態】
【０００９】
以下、この発明の実施の形態について図面を参照しながら詳細に説明する。
実施の形態１．
図１は、実施の形態１に係る施設監視装置１を備える施設監視システムの構成例を示す図である。
施設監視システムは、施設内の空調設備、防犯設備、照明設備、防災設備等の各種の設備機器２と、当該設備機器２を監視および制御する施設監視装置１とを備える。
施設監視システムは、通信ネットワークとして、例えば、ＢＡＣｎｅｔ（Ｂｕｉｌｄｉｎｇ  Ａｕｔｏｍａｔｉｏｎ  ａｎｄ  Ｃｏｎｔｒｏｌ  Ｎｅｔｗｏｒｋ）などのオープンネットワークを用いる。
施設監視システムにおいて、施設監視装置１は、設備機器２の運転スケジュールを設定し、設定した運転スケジュールに従い、設備機器２の発停制御を行う（スケジュール制御）。また、施設監視装置１は、必要に応じて、設定されている、複数の運転スケジュールに関する情報を取得して、複数の運転スケジュールの内容を比較し、想定外の運転スケジュールが設定されていないかを確認するための情報を管理者等に提供する（運転スケジュール比較処理）。
なお、施設監視装置１は、ソフトウェアに基づくＣＰＵを用いたプログラム処理によって実行される。
また、図１では、施設監視装置１に接続される設備機器２は３つ図示しているが、これは一例に過ぎない。施設監視装置１には、１つ以上の設備機器２が接続される。
以下、実施の形態１では、一例として、設備機器２は、空調設備であるものとして説明する。
【００１０】
図２は、実施の形態１に係る施設監視装置１の構成の一例を示す図である。
図２に示すように、施設監視装置１は、受付部１１と、スケジュール設定部１２と、運転スケジュール記憶部１３と、運転制御部１４と、比較処理部１５と、表示制御部１６とを備える。
受付部１１は、スケジュール受付部１１１と、スケジュール表示指示受付部１１２と、基準受付部１１３と、対象受付部１１４と、比較範囲受付部１１５とを有する。
また、比較処理部１５は、スケジュール取得部１５１と、比較部１５２とを有する。
【００１１】
受付部１１は、各種情報等を受け付ける。
管理者等は、マウスまたはキーボード等の入力装置（図示省略）を操作して、各種情報を入力する。受付部１１は、管理者等が入力装置を操作して入力した各種情報等を受け付ける。
スケジュール受付部１１１は、各空調設備の運転スケジュールの設定情報を受け付ける。スケジュール受付部１１１は、受け付けた運転スケジュールの設定情報を、スケジュール設定部１２（後述する）に出力する。
【００１２】
スケジュール表示指示受付部１１２は、運転スケジュール記憶部１３（後述する）に記憶されている運転スケジュールの表示指示を受け付ける。スケジュール表示指示受付部１１２は、表示の対象となる運転スケジュールの情報を、表示制御部１６（後述する）に出力する。
【００１３】
基準受付部１１３は、運転スケジュール記憶部１３で記憶されている複数の運転スケジュールのうちから、運転スケジュールの比較を行う際に基準とする運転スケジュールの指定を受け付ける。運転スケジュールの比較を行う際に基準とする運転スケジュールを、実施の形態１では、基準スケジュールともいうものとする。運転スケジュールの比較は、比較処理部１５（後述する）にて行う。
基準受付部１１３は、受け付けた基準スケジュールの情報を、比較処理部に出力する。
【００１４】
対象受付部１１４は、運転スケジュール記憶部１３で記憶されている複数の運転スケジュールのうちから、基準スケジュールとの比較を行う対象となる１つまたは複数の運転スケジュールの指定を受け付ける。基準スケジュールとの比較を行う対象となる１つまたは複数の運転スケジュールを、実施の形態１では、対象スケジュールともいうものとする。
対象受付部１１４は、受け付けた対象スケジュールの情報を、比較処理部１５に出力する。
【００１５】
比較範囲受付部１１５は、基準スケジュールと対象スケジュールとを比較する際の比較範囲の指定を受け付ける。比較範囲とは、具体的には、時刻または時間帯である。
比較範囲受付部１１５は、受け付けた比較範囲の情報を、比較処理部１５に出力する。
【００１６】
スケジュール設定部１２は、スケジュール受付部１１１から出力された、運転スケジュールの設定情報に基づき、運転スケジュールを設定し、運転スケジュール記憶部１３に記憶させる。
【００１７】
運転スケジュール記憶部１３は、例えば、ＨＤＤ、ＤＶＤ、メモリ等によって構成される。運転スケジュール記憶部１３は、運転スケジュール情報を記憶する。
実施の形態１において、運転スケジュール情報は、具体的には、運転スケジュール毎に、運転スケジュールと、当該運転スケジュールに基づいて発停制御される空調設備の情報とが紐付けられた情報である。
なお、実施の形態１では、図２に示すように、運転スケジュール記憶部１３は、施設監視装置１に備えられるものとしたが、これに限らず、運転スケジュール記憶部１３は、施設監視装置１の外部の、施設監視装置１が参照可能な場所に備えられるようにしてもよい。
【００１８】
ここで、図３は、実施の形態１において、運転スケジュール記憶部１３が記憶する運転スケジュール情報のイメージの一例を示す図である。
図３に示すように、運転スケジュール記憶部１３は、例えば、１日の発停状態が設定された運転スケジュール情報を記憶している。運転スケジュール情報において、各運転スケジュールには、当該各運転スケジュールに基づいて発停制御される空調設備の情報が紐付けられている。
なお、ここでは、一例として、運転スケジュールは、１日分のみが設定され、空調設備は、毎日同じ運転スケジュールで制御されるものとしている。これに限らず、運転スケジュールは、例えば、月曜〜金曜と土日との２パターンに分けて設定されるものとしてもよい。この場合、月曜〜金曜の運転スケジュール情報と、土日の運転スケジュール情報とが、それぞれ、月曜〜金曜または土日であることがわかる情報を紐付けられて、運転スケジュール記憶部１３に記憶される。また、運転スケジュールは、例えば、カレンダーに沿って、その日ごとに設定されるものとしてもよい。この場合、日付の情報と運転スケジュール情報とが紐付けられて、運転スケジュール記憶部１３に記憶される。
【００１９】
図２の説明に戻る。
運転制御部１４は、運転スケジュール記憶部１３に記憶されている運転スケジュール情報に基づき、各空調設備の発停制御を行う。具体的には、例えば、運転スケジュール記憶部１３に記憶されている運転スケジュール情報が図３のとおりであったとすると、運転制御部１４は、毎日８：３０になると、空調設備ａ〜空調ｊが「ＯＮ」となるよう、制御を行う。
【００２０】
比較処理部１５は、複数の運転スケジュールの比較を行う。具体的には、比較処理部１５は、基準受付部１１３が受け付けた基準スケジュールの情報と対象受付部１１４が受け付けた対象スケジュールの情報とを運転スケジュール記憶部１３から取得し、対象スケジュール毎に、比較範囲受付部１１５が受け付けた比較範囲における対象スケジュールの内容と、当該比較範囲における基準スケジュールの内容との比較を行う。
【００２１】
スケジュール取得部１５１は、基準受付部１１３が受け付けた基準スケジュール、および、対象受付部１１４が受け付けた対象スケジュールの情報を、運転スケジュール記憶部１３から取得する。
スケジュール取得部１５１は、取得した基準スケジュールおよび対象スケジュールの情報を、比較部１５２に出力する。
比較部１５２は、スケジュール取得部１５１から出力された基準スケジュールおよび対象スケジュールの情報に基づき、対象スケジュール毎に、比較範囲受付部１１５が受け付けた比較範囲における対象スケジュールの内容と、当該比較範囲における基準スケジュールの内容との比較を行う。
比較部１５２は、対象スケジュール毎の基準スケジュールとの比較結果に関する情報を、表示制御部１６に出力する。
【００２２】
表示制御部１６は、各種情報等を表示装置（図示省略）に表示する。表示装置は、例えば、ディスプレイであり、施設監視装置１とネットワークを介して接続される。
具体的には、表示制御部１６は、例えば、スケジュール表示指示受付部１１２が受け付けた、運転スケジュールの表示指示に基づき、運転スケジュール記憶部１３を参照し、該当の運転スケジュールを表示装置に表示させる。
また、表示制御部１６は、例えば、比較部１５２から出力された、対象スケジュール毎の基準スケジュールとの比較結果に関する情報を、表示装置に表示させる。
なお、表示装置は、施設監視装置１に備えられるものとしてもよい。
【００２３】
実施の形態１に係る施設監視装置１の動作について説明する。
施設監視装置１は、上述のとおり、複数の運転スケジュールの内容を比較し、想定外の運転スケジュールが設定されていないかを確認するための情報を管理者等に提供する運転スケジュール比較処理を行う。以下の動作説明においては、当該運転スケジュール比較処理について説明する。
ここでは、一例として、運転スケジュール記憶部１３には、図３で示したような運転スケジュール情報が記憶され、当該運転スケジュール情報に従って、運転制御部１４が施設内の各空調設備の発停制御を行っていたところ、管理者等が、運転スケジュールの変更を行った場合を例にとって、運転スケジュール比較処理について説明する。
【００２４】
例えば、管理者等は、運転スケジュールｓｃｈＡ〜Ｄについて、８：３０に「ＯＮ」、１７：１０に「ＯＦＦ」という運転スケジュールが設定されていたところ、一律、１７：２５に「ＯＦＦ」という運転スケジュールに変更したものとする。具体的には、管理者等は、入力装置を操作して、施設監視装置１から、運転スケジュールｓｃｈＡ〜Ｄを１７：２５に「ＯＦＦ」するよう変更する指示を入力する。スケジュール受付部１１１は、入力された変更指示を受け付け、スケジュール設定部１２は、変更指示に基づき、運転スケジュール記憶部１３の運転スケジュール情報を変更する。
ここで、管理者等は、変更漏れがないかどうかの確認を行うために、施設監視装置１において運転スケジュール比較処理を実行させる。
【００２５】
図４は、実施の形態１において、施設監視装置１が実行する運転スケジュール比較処理の具体的な動作の一例について説明するためのフローチャートである。
まず、施設監視装置１は、基準スケジュールを受け付ける（ステップＳＴ４０１）。
施設監視装置１における運転スケジュール比較処理では、管理者等からの指定に基づき、施設監視装置１において、基準スケジュールが選定されていることが前提となる。
施設監視装置１は、管理者等が指定した基準スケジュールを受け付ける。
【００２６】
ステップＳＴ４０１における基準スケジュールの受付動作について、詳細に説明する。
管理者等は、内容が変更されているはずの運転スケジュールｓｃｈＡ〜Ｄについて、１つを選択し、選択した運転スケジュールについて、内容を表示装置に表示させ、運転スケジュールが正しく変更されているかを確認する。
具体的には、管理者等は、例えば、運転スケジュールｓｃｈＡの内容を表示させる。管理者等は、運転スケジュールｓｃｈＡの表示指示を、例えば、表示装置の画面上で運転スケジュールｓｃｈＡを選択し、画面に表示されている表示ボタンを、入力装置でクリックする等することで入力すればよい。
スケジュール表示指示受付部１１２は、入力された運転スケジュールの表示指示を受け付け、受け付けた運転スケジュールの情報を、表示制御部１６に出力する。ここでは、スケジュール表示指示受付部１１２は、運転スケジュールｓｃｈＡの運転スケジュールの表示指示を受け付けた旨の情報を表示制御部１６に出力する。
表示制御部１６は、運転スケジュール記憶部１３を参照し、運転スケジュールｓｃｈＡの内容を表示装置に表示させる。
【００２７】
運転スケジュールｓｃｈＡの内容が表示されると、管理者等は、表示装置を確認し、運転スケジュールｓｃｈＡの内容が、正しい内容になっていれば、すなわち、１７：２５に「ＯＦＦ」という運転スケジュールになっていれば、運転スケジュールｓｃｈＡを基準スケジュールとして指定する。具体的には、管理者等は、表示装置の画面に表示されている決定ボタンを、入力装置でクリックする等する。
基準受付部１１３は、運転スケジュールｓｃｈＡの決定ボタンがクリック等されると、指定された運転スケジュールｓｃｈＡの情報を、基準スケジュールの情報として受け付ける。
【００２８】
このように、施設監視装置１は、ステップＳＴ４０１において、運転スケジュール比較処理の前提として管理者等からの基準スケジュールの指定を受け付け、基準スケジュールを選定しておく。
基準受付部１１３は、受け付けた基準スケジュールの情報を、比較処理部１５に出力する。
【００２９】
図４のフローチャートに戻る。
対象受付部１１４は、運転スケジュール記憶部１３で記憶されている複数の運転スケジュールのうちから、基準スケジュールとの比較を行う対象スケジュールの指定を受け付ける（ステップＳＴ４０２）。
具体的には、例えば、管理者等は、表示装置に表示された対象スケジュール入力画面から、入力装置を操作して、基準スケジュールと比較させる運転スケジュールを対象スケジュールとして指定する。ここでは、管理者等は、変更を行った運転スケジュールｓｃｈＢ〜Ｄを、対象スケジュールとして指定する。対象受付部１１４は、指定された運転スケジュールｓｃｈＢ〜Ｄの情報を、対象スケジュールの情報として受け付ける。
なお、対象スケジュール入力画面は、例えば、ステップＳＴ４０１において基準スケジュールが選択されると、表示制御部１６がこれを検知して、表示装置に表示させるようにすればよい。
対象受付部１１４は、受け付けた対象スケジュールの情報を、比較処理部１５に出力する。
【００３０】
比較範囲受付部１１５は、基準スケジュールと対象スケジュールとを比較する際の比較範囲の指定を受け付ける（ステップＳＴ４０３）。
具体的には、例えば、管理者等は、表示装置に表示された比較範囲設定画面から、入力装置を操作して、比較範囲の情報を入力する。ここでは、運転スケジュールｓｃｈＢ〜Ｄが、１７：１０の時点では「ＯＦＦ」にせず、１７：２５に「ＯＦＦ」にするようになっていることを確認したいため、管理者等は、例えば、「１７：２４−１７：２６」を、比較範囲の情報として入力する。比較範囲受付部１１５は、入力された「１７：２４−１７：２６」の情報を、比較範囲の指定情報として受け付ける。
なお、比較範囲設定画面は、例えば、ステップＳＴ４０２において対象受付部１１４が対象スケジュールの情報を受け付けると、表示制御部１６がこれを検知して、表示装置に表示させるようにすればよい。
【００３１】
ここで、図５は、実施の形態１において、表示制御部１６が表示装置に表示させる比較範囲設定画面のイメージの一例を説明するための図である。
例えば、表示制御部１６は、図５Ａに示すように、基準スケジュールの内容と、対象範囲入力部（図５Ａの５１）とが表示された比較範囲設定画面を表示装置に表示させる。
管理者等は、比較範囲設定画面を確認し、対象範囲入力部に、比較範囲の情報を入力する。ここでは、管理者等は、「１７：２４−１７：２６」の時間帯を、比較範囲として入力する。
管理者等は、比較範囲として、「１７：２５」のように、具体的な時刻を入力するようにしてもよい。
また、表示制御部１６は、比較範囲設定画面で表示させる対象範囲入力部を、図５Ａに示したような入力部に限らず、例えば、図５Ｂに示すような、基準スケジュール上において時間帯を示す矩形のバーとしてもよい（図５Ｂの５２）。
この場合、管理者等は、入力装置をドラッグする等して、対象範囲入力部を移動させて、比較範囲とする時刻または時間帯を指定する。対象範囲入力部の幅は、適宜変更可能とする。
比較範囲受付部１１５は、受け付けた比較範囲の情報を、比較処理部１５に出力する。
【００３２】
図４のフローチャートに戻る。
スケジュール取得部１５１は、ステップＳＴ４０１において基準受付部１１３が受け付けた基準スケジュール、および、ステップＳＴ４０２において対象受付部１１４が受け付けた対象スケジュールの情報を、運転スケジュール記憶部１３から取得する（ステップＳＴ４０４）。
スケジュール取得部１５１は、取得した基準スケジュールおよび対象スケジュールの情報を、比較部１５２に出力する。
【００３３】
比較部１５２は、ステップＳＴ４０４においてスケジュール取得部１５１から出力された基準スケジュールおよび対象スケジュールの情報に基づき、ステップＳＴ４０３において比較範囲受付部１１５が受け付けた比較範囲における対象スケジュールの内容と、当該比較範囲における基準スケジュールの内容との比較を行う（ステップＳＴ４０５）。
なお、ステップＳＴ４０５の動作は、管理者等からの比較実行指示に基づき実行される。具体的には、例えば、管理者等は、入力装置を操作して、比較範囲設定画面に表示された「抽出」ボタン（図５参照）をクリック等する。受付部１１は、「抽出」ボタンがクリック等されると、管理者等からの比較実行指示を受け付けたものとし、当該比較実行指示を受け付けた旨の情報を、比較部１５２に出力する。比較部１５２は、受付部１１から、比較実行指示を受け付けた旨の情報が出力されると、ステップＳＴ４０５の動作を実行する。
【００３４】
比較部１５２は、全ての対象スケジュールについて、基準スケジュールとの比較が完了するまで、ステップＳＴ４０５の処理を繰り返す（ステップＳＴ４０６の“ＮＯ”の場合）。すなわち、比較部１５２は、ステップＳＴ４０４においてスケジュール取得部１５１から出力された対象スケジュール毎に、比較範囲における対象スケジュールの内容と、比較範囲における基準スケジュールとの比較を行う。
全ての対象スケジュールについて、基準スケジュールとの比較が完了すると（ステップＳＴ４０６の“ＹＥＳ”の場合）、比較部１５２は、対象スケジュール毎の、基準スケジュールとの比較結果に関する情報を、表示制御部１６に出力する。比較結果に関する情報には、比較範囲において基準スケジュールと内容の相違があるかどうかの情報、および、比較範囲における対象スケジュールの内容が含まれる。また、比較部１５２は、運転スケジュール記憶部１３から取得した基準スケジュールおよび対象スケジュールの内容も、あわせて表示制御部１６に出力するようにする。
以下の説明において、比較部１５２が出力する、対象スケジュール毎の、基準スケジュールとの比較結果に関する情報を、単に、「比較結果に関する情報」という。
【００３５】
表示制御部１６は、ステップＳＴ４０６において比較部１５２から出力された比較結果に関する情報を表示した比較結果表示画面を、表示装置に表示させる（ステップＳＴ４０７）。
【００３６】
図６は、実施の形態１において、表示制御部１６が表示装置に表示させる比較結果表示画面のイメージの一例を示す図である。
なお、図６では、運転スケジュールｓｃｈＣが、１７：２５に「ＯＦＦ」と変更できておらず、１７：１０に「ＯＦＦ」するスケジュールのままであった場合の、比較結果表示画面としている。
【００３７】
表示制御部１６は、例えば、図６Ａに示すように、基準スケジュールおよび対象スケジュールについて、運転スケジュール記憶部１３に記憶されている運転スケジュールの内容（図６Ａの６１参照）と、比較範囲における運転スケジュールの内容が当該比較範囲における基準スケジュールの内容と一致しているか否かの情報（図６Ａの６２参照）とを対応付けた比較結果表示画面を表示させる。
表示制御部１６は、運転スケジュールの内容が基準スケジュールの内容と一致しているか否かの情報を、比較部１５２から出力される比較結果に関する情報に基づいて表示させる。なお、表示制御部１６は、運転スケジュールの内容が基準スケジュールの内容と一致しているか否かの情報について、基準スケジュールに関しては、「一致」と表示するようにすればよい。
管理者等は、比較結果表示画面の、比較範囲における、基準スケジュールの内容と一致しているか否かの情報を見れば、どの対象スケジュールにおいて、基準スケジュールと異なる発停状態となっているか容易に確認することができる。
【００３８】
ここでは、比較範囲である「１７：２４−１７：２６」において、１７：２４−１７：２５までは「ＯＮ」、１７：２５−１７：２６までは「ＯＦＦ」となっているべきところ、運転スケジュールｓｃｈＣについては、１７：２５に「ＯＦＦ」と変更できておらず、１７：１０に「ＯＦＦ」するスケジュールのままになっているので、１７：２４−１７：２５の間も、１７：２５−１７：２６の間も、「ＯＦＦ」となっている。
よって、表示制御部１６は、図６Ａに示すように、比較結果表示画面で表示させる比較範囲の情報欄において、運転スケジュールのｓｃｈＣの１７：２４−１７：２５の内容は「不一致」、１７：２５−１７：２６の内容は「一致」と表示させる。
運転スケジュールｓｃｈＣは、比較範囲の情報欄において、「不一致」と表示されていることで、当該運転スケジュールｓｃｈＣの内容が基準スケジュールの内容と異なること、すなわち、管理者等が意図した変更が反映されていないことがわかる。
【００３９】
なお、基準スケジュールの内容と対象スケジュールの内容とを比較する比較範囲内の間隔は、予め決められているものとする。実施の形態１では、施設監視装置１は、１分間隔で、比較範囲における基準スケジュールの内容と、比較範囲における対象スケジュールの内容とを比較するように予め決められているものとする。
【００４０】
また、表示制御部１６は、例えば、図６Ｂに示すように、基準スケジュールおよび対象スケジュールについて、運転スケジュール記憶部１３に記憶されている運転スケジュールの内容（図６Ｂの６１参照）と、比較範囲における運転スケジュールの内容（図６Ｂの６３参照）とを対応付けた比較結果表示画面を表示させるようにしてもよい。
表示制御部１６は、比較範囲における運転スケジュールの内容を、比較部１５２から出力される比較結果に関する情報に基づいて表示させる。
管理者等は、比較結果表示画面の、比較範囲における運転スケジュールの内容を見れば、どの運転スケジュールにおいて、基準スケジュールと異なる発停状態となっているか、容易に確認することができる。
図６Ｂに示す比較結果表示画面では、運転スケジュールｓｃｈＣのみが１７：２４−１７：２５に「ＯＦＦ」となっており、管理者等が意図した変更が反映されていないことがわかる。
なお、比較結果表示画面に、比較範囲における運転スケジュールの内容を表示させる場合の、運転スケジュールの内容の表示間隔は、予め決められているものとする。実施の形態１では、施設監視装置１は、１分間隔で、比較範囲における運転スケジュールの内容を表示させるものとする。
【００４１】
なお、図６Ａ，図６Ｂでは、表示制御部１６は、比較結果表示画面に、運転スケジュール記憶部１３に記憶されている運転スケジュールの内容（図６Ａの６１および図６Ｂの６１）を表示させるものとした。しかし、これは一例に過ぎず、表示制御部１６は、当該運転スケジュールの内容は表示させないものとしてもよい。
また、比較結果表示画面において比較範囲の情報として表示させる情報は、図６Ａ，図６Ｂに示すような情報に限らない。例えば、表示制御部１６は、比較範囲の情報の表示欄の背景色について、基準スケジュールの内容と一致する場合と異なる場合とで、色を変えて表示させるようにしてもよい。
表示制御部１６は、比較結果表示画面において、比較範囲における対象スケジュールの内容が、基準スケジュールの内容と同じであるか否かがわかるように、比較結果に関する情報を表示させるようになっていればよい。
【００４２】
また、以上の説明では、表示制御部１６は、ステップＳＴ４０７において、比較結果表示画面で、基準スケジュールに関する情報、および、全ての対象スケジュールについての比較結果を表示させるものとした。
しかし、これに限らず、表示制御部１６は、比較結果表示画面で、比較範囲における内容が、比較範囲における基準スケジュールの内容と差異があった対象スケジュールについてのみを表示させるようにしてもよい。
【００４３】
具体的には、表示制御部１６は、ステップＳＴ４０６において比較部１５２から出力された比較結果に関する情報に基づき、比較範囲における内容が、当該比較範囲における基準スケジュールの内容と差異のあった対象スケジュールを抽出する。そして、抽出した対象スケジュールの比較結果に関する情報を、比較結果表示画面に表示させる。
【００４４】
図７は、実施の形態１において、表示制御部１６が表示装置に表示させる比較結果表示画面のイメージのその他の一例を示す図である。図７では、表示制御部１６は、比較範囲における内容が、比較範囲における基準スケジュールの内容と差異があった対象スケジュールのみを表示させるようにしている。
なお、図７では、図６同様、運転スケジュールｓｃｈＣが、１７：２５に「ＯＦＦ」と変更できておらず、１７：１０に「ＯＦＦ」するスケジュールのままであった場合の、比較結果表示画面としている。
【００４５】
図７では、表示制御部１６は、運転スケジュール記憶部１３に記憶されている運転スケジュールｓｃｈＣの内容（図７の７１参照）と、比較範囲における運転スケジュールｓｃｈＣの内容が当該比較範囲における基準スケジュールの内容と一致しているか否かの情報（図７の７２参照）とを対応付けた比較結果表示画面を表示させるようにしている。これに限らず、表示制御部１６は、比較範囲の情報として、図６Ｂで示したように、比較範囲における、運転スケジュールｓｃｈＣの内容を表示させるようにしてもよい。
ここでは、運転スケジュールｓｃｈＡ〜Ｄのうち、運転スケジュールｓｃｈＣのみが、１７：２５に「ＯＦＦ」と変更できてないので、図７に示すように、運転スケジュールｓｃｈＣについての、比較結果に関する情報のみが、比較結果表示画面に表示される。
図７に示す比較結果表示画面は一例に過ぎず、表示制御部１６は、比較範囲において、基準スケジュールの内容と異なる内容である対象スケジュールがわかるように、当該対象スケジュールについての比較結果に関する情報が表示された比較結果表示画面を表示させるようになっていればよい。
【００４６】
なお、基準スケジュールに関する情報、および、全ての対象スケジュールについての比較結果に関する情報を表示させるものとした比較結果表示画面（図６参照）とするか、基準スケジュールと差異のあった対象スケジュールについてのみの比較結果に関する情報を表示させるものとした比較結果表示画面（図７参照）とするかは、管理者等が適宜選択することができる。
例えば、差異のあった対象スケジュールについてのみの比較結果に関する情報を表示させるものとしたい場合、管理者等は、比較範囲の情報を入力する際に、その旨の指示もあわせて入力する。
【００４７】
具体的には、表示制御部１６は、比較範囲設定画面を表示させる際に、当該比較範囲設定画面上に、不一致のみ表示指示部もあわせて表示させるようにしておく。
図８は、実施の形態１において、表示制御部１６が、不一致のみ表示指示部（図８の８１参照）を表示させた比較範囲設定画面の一例を示す図である。
なお、図８Ａは、図５で示した比較範囲設定画面に、不一致のみ表示指示部を追加した場合の画面例を示しており、図８Ｂは、図５Ｂで示した比較範囲設定画面に、不一致のみ表示指示部を追加した場合の画面例を示している。
【００４８】
管理者等は、比較範囲の情報を入力する際に、例えば、入力装置を操作し、不一致のみ表示指示部をクリックする等して、差異のあった対象スケジュールについてのみの比較結果を表示させる指示を入力する。
差異のあった対象スケジュールについてのみの比較結果を表示させる指示が入力されると、比較範囲受付部１１５は、比較範囲の情報とともに、当該指示を受け付け、当該指示を受け付けた旨の情報を、表示制御部１６に出力する。
表示制御部１６は、比較範囲受付部１１５から、差異のあった対象スケジュールについてのみの比較結果に関する情報を表示させる指示を受け付けた旨の情報が出力されると、比較部１５２から出力された比較結果から、差異のあった対象スケジュールに関する情報を抽出し、比較結果表示画面を表示させる。
【００４９】
なお、上述の説明では、表示制御部１６が、比較部１５２から出力された比較結果に関する情報に基づき、比較範囲において基準スケジュールと差異のあった対象スケジュールを抽出するものとした。しかし、これに限らず、比較範囲において基準スケジュールと差異のあった対象スケジュールを抽出する動作は、比較部１５２にて行うようにしてもよい。この場合、比較範囲受付部１１５は、差異のあった対象スケジュールについてのみの、比較結果に関する情報を表示させる指示を受け付けた旨の情報を、比較処理部１５に出力するようにする。
【００５０】
このように、施設監視装置１は、比較範囲における基準スケジュールの内容と、比較範囲における対象スケジュールの内容との比較を行い、差分があれば、当該差分があることがわかるように情報提供することができる。これにより、管理者等は、運転スケジュールの変更を行った場合、変更すべき運転スケジュールが正しく変更されており、想定外の運転スケジュールがないかを容易に確認することができる。
【００５１】
なお、以上の説明では、管理者等が、予め設定されている運転スケジュールの変更を行った際に確認作業を行う場合を例にとって説明したが、これに限らず、例えば、管理者等は、各空調設備に対するスケジュールを有効にし忘れていないか確認したい場合に、施設監視装置１に、運転スケジュール比較処理を実行させ、想定外の運転スケジュールがないかを確認するようにすることもできる。管理者等は、各空調設備を制御するための運転スケジュールに想定外の運転スケジュールがないかを確認するあらゆる場面において、施設監視装置１に、運転スケジュール比較処理を実行させることができる。
また、以上の説明では、対象受付部１１４は、３つの対象スケジュールを受け付けるものとしたが、これは一例に過ぎない。管理者等は、１つまたは複数の運転スケジュールを対象スケジュールとして指定し、対象受付部１１４は、１つまたは複数の対象スケジュールを受け付けることができる。
【００５２】
以上のように、実施の形態１によれば、施設監視装置１を、複数の運転スケジュールのうちから、基準スケジュールの指定を受け付ける基準受付部１１３と、複数の運転スケジュールのうちから、基準スケジュールと比較する１つまたは複数の対象スケジュールの指定を受け付ける対象受付部１１４と、基準スケジュールと対象スケジュールとを比較する際の比較範囲の指定を受け付ける比較範囲受付部１１５と、対象スケジュール毎に、比較範囲における当該対象スケジュールの内容と、比較範囲における基準スケジュールの内容との比較を行う比較部１５２と、比較部１５２による、対象スケジュール毎の基準スケジュールとの比較結果に関する情報を表示させる表示制御部１６とを備えるように構成した。そのため、管理者等は、設定されている運転スケジュールについて、想定外の運転スケジュールが設定されていないかを容易に確認することができる。
【００５３】
なお、以上の実施の形態１では、設備機器は空調設備であるものとしたが、これは一例に過ぎない。施設監視装置１は、施設監視システムで監視および制御している設備機器のスケジュール制御を行うための複数の運転スケジュールについて、比較を行うことができる。
また、実施の形態１の施設監視装置１は、ビル、工場、プラントなどのあらゆる施設を管理する中央監視装置としての施設監視装置に適用できる。
【００５４】
また、本願発明はその発明の範囲内において、実施の形態の任意の構成要素の変形、もしくは実施の形態の任意の構成要素の省略が可能である。
【符号の説明】
【００５５】
１  施設監視装置
２  設備機器
１１  受付部
１２  スケジュール設定部
１３  運転スケジュール記憶部
１４  運転制御部
１５  比較処理部
１６  表示制御部
１１１  スケジュール受付部
１１２  スケジュール表示指示受付部
１１３  基準受付部
１１４  対象受付部
１１５  比較範囲受付部
１５１  スケジュール取得部
１５２  比較部
【図１】
2019086219.tif 000003
【図２】
2019086219.tif 000004
【図３】
2019086219.tif 000005
【図４】
2019086219.tif 000006
【図５】
2019086219.tif 000007
【図６】
2019086219.tif 000008
【図７】
2019086219.tif 000009
【図８】
2019086219.tif 000010